(57)【要約】【課題】より優れたケーブル通し口の防水構造を提供すること。【解決手段】電子装置３００，４００，５００を収納するケース２００に設けられたケーブル通し口２０１の防水構造において、ケース２００は、複数のケース部材２１０，２２０，２３０，２４０を組み立ててなり、ケーブル通し口は、複数のケース部材の間にケーブル７００を貫通するグロメット６００を装着してなり、グロメットの内周面６２０には、ケーブルとの隙間を密閉するリップ部６２１と、ケーブルの被覆層７２０に食い込んでケーブルが移動するのを防止する締め付け部６２２と、リップ部と締め付け部とを隔てる溝部６２３とを設けた構成のケーブル通し口の防水構造である。【選択図】            図４
2004304984.tif 000002
【特許請求の範囲】
【請求項１】
電子装置を収納するケースに設けられたケーブル通し口の防水構造において、
前記ケースは、複数のケース部材を組み立ててなり、
前記ケーブル通し口は、前記複数のケース部材の間にケーブルを貫通するグロメットを装着してなり、
前記グロメットの内周面には、前記ケーブルとの隙間を密閉するリップ部と、前記ケーブルの被覆層に食い込んで前記ケーブルが移動するのを防止する締め付け部と、前記リップ部と前記締め付け部とを隔てる溝部とを設けたことを特徴とするケーブル通し口の防水構造。
【請求項２】
前記グロメットの外周面には、前記ケース部材との隙間を密閉する第２リップ部を設けたことを特徴とする請求項１記載のケーブル通し口の防水構造。
【発明の詳細な説明】
【０００１】
【発明の属する技術分野】
本発明は、電子装置を収納するケースに設けられたケーブル通し口の防水構造に関する。
【０００２】
【従来の技術】
モータ等の電子装置を収納するケースにおいて、電子装置の外部接続手段の通し口は、グロメットを装着することによって防水が施されている。モータケースにおける防水構造は、特許文献１及び３等にも開示されている。
【０００３】
【特許文献１】特開平９−９３８５４号公報
【特許文献２】特開平１１−１４６５９９号公報
【特許文献３】特開２００３−９４５９号公報
【発明が解決しようとする課題】
つまり、外部接続手段としてケーブルをケースに挿通する場合は、ケースにはケーブル通し口が設けられ、ケーブル通し口にはケーブルを貫通するグロメットが装着される。一般に、ケースは複数のケース部材を組み立ててなり、グロメットは複数のケース部材の間に装着される。このようなケーブル通し口の防水構造は、防水性が確実に確保され得るとともに、組み立てが容易であること、ケーブルの耐引き抜き力が強いこと等が重要とされ、特にモータの製造現場においては、これらの条件により適した防水構造が求められている。
【０００４】
本発明は、かかる事情に鑑みてなされたものであり、その目的は、より優れたケーブル通し口の防水構造を提供することである。
【０００５】
【課題を解決するための手段】
本願第１請求項に記載した発明は、電子装置を収納するケースに設けられたケーブル通し口の防水構造において、前記ケースは、複数のケース部材を組み立ててなり、前記ケーブル通し口は、前記複数のケース部材の間にケーブルを貫通するグロメットを装着してなり、前記グロメットの内周面には、前記ケーブルとの隙間を密閉するリップ部と、前記ケーブルの被覆層に食い込んで前記ケーブルが移動するのを防止する締め付け部と、前記リップ部と前記締め付け部とを隔てる溝部とを設けた構成のケーブル通し口の防水構造である。このような構成によると、優れたケーブル通し口の防水構造が得られる。
【０００６】
すなわち、本発明のケーブル通し口の防水構造によると、グロメットとケーブルとの隙間は、グロメットの内周面に設けられたリップ部がケーブルに圧接することによって確保される。また、ケーブルの耐引き抜き力は、締め付け部がケーブルの被覆層に食い込むことによって確保される。更に、締め付け部がケーブルの被覆層に食い込むことによれば、締め付け部において生じる被覆層の肉逃げがケーブルとリップ部との圧接状態に悪影響を及ぼす虞があるところ、本発明によれば、グロメットの内周面にはリップ部と締め付け部とを隔てる溝部を設けたので、被覆部の肉逃げはかかる溝部にて吸収することが可能である。つまり、本発明におけるグロメットは、防水性とともにケーブルの耐引き抜き力を合理的に確保する構成となっている。このようなグロメットを用いることによれば、電子装置及びケースの組み立てが容易になされるという利点もある。
【０００７】
本願第２請求項に記載した発明は、請求項１において、前記グロメットの外周面には、前記ケース部材との隙間を密閉する第２リップ部を設けた構成のケーブル通し口の防水構造である。
【０００８】
すなわち、本発明のケーブル通し口の防水構造によると、グロメットとケース部材との隙間は、グロメットの外周面に設けられた第２リップ部がケース部材に圧接することによって確保される。
【０００９】
【発明の実施の形態】
以下に、本発明の具体例を図面に基づいて詳細に説明する。
【００１０】
図１及び図２に示すモータ１００は、車両に搭載されて利用される走行用のブラシレスＤＣモータである。このモータ１００は、モータケース２００の内部に電子装置たるロータ３００、ステータ４００、及び当該モータ１００の制御手段５００を収納してなるものである。モータケース２００は、ステータ４００を嵌め入れる第１ケース部材２１０と、第１ケース部材２１０の内部を区画する第２ケース部材２２０と、第１ケース部材２１０の開口を閉鎖する第３ケース部材２３０と、第３ケース部材２３０を覆う第４ケース部材２４０とを組み立てて構成されている。各ケース部材２１０，２２０，２３０，２４０は、所定の形状を呈するアルミ合金製の部材である。ロータ３００は、ステータ４００との間に僅かな隙間を設けるとともに、ベアリング３２０を介してその軸部３１０を第１ケース部材２１０及び第２ケース部材２２０に架設されている。制御手段５００は、第２ケース部材２２０及び第３ケース部材２３０に支持されるとともに、ステータ４００のコイル４１０と配線接続されている。第４ケース部材２４０は、放熱フィン２４１を備えたヒートシンクであり、制御手段５００から第３ケース部材２３０に伝わる熱は、第４ケース部材２４０から外部に発散される。また、図３に示すように、第３ケース部材２３０及び第４ケース部材２４０の要所は、雄ねじ部品２５０にて第１ケース部材２１０の端部にねじ止めされている。第３ケース部材２３０の端部には、第１ケース部材２１０の端部との隙間を密閉するシール手段２３１（ガスケット）が設けられている。
【００１１】
更に、本例のモータケース２００の要所には、モータケース２００の内部と外部とを接続するケーブル７００の通し口２０１が設けられている。ケーブル通し口２０１は、第１ケース部材２１０と第３ケース部材２３０との間にケーブル７００を貫通するグロメット６００を装着して構成されている。第１ケース部材２１０の端部には、グロメット６００を嵌め入れる凹部２１１が設けられている。つまり、本例のケーブル通し口２０１の防水構造は、かかるグロメット６００を装着してなるものである。
【００１２】
図４乃至図７に示すように、本例のグロメット６００は、適度な硬度を有するゴム製の部材であり、第１ケース部材２１０及び第３ケース部材２３０の端部を挟む一対のフランジ６１０を備えている。また、本例のケーブル７００は、制御手段５００に外部からの指令を送信するインターフェイスであり、多芯電線７１０にゴム製の被覆層７２０を設けてなるものである。
【００１３】
ケーブル７００を貫通するグロメット６００の内周面６２０には、ケーブル７００との隙間を密閉する複数の環状のリップ部６２１と、ケーブル７００の被覆層７２０に食い込んでケーブル７００が移動するのを防止する環状の締め付け部６２２と、リップ部６２１と締め付け部６２２とを隔てる環状の溝部６２３とを設けている。リップ部６２１及び締め付け部６２２の内径は、ケーブル７００の外径よりもある程度小さく設定している。また溝部６２３の外径は、ケーブル７００の外径よりもある程度大きく設定している。溝部６２３によれば、グロメット６００の内周面６２０とケーブル７００との間には、環状の中空スペースが形成される。
【００１４】
更に、第１ケース部材２１０及び第３ケース部材２３０の端部と当接するグロメットの外周面６３０には、それらのケース部材２１０，２３０との隙間を密閉する複数の環状の第２リップ部６３１を設けている。
【００１５】
また、このグロメット６００には、その側面側から内周面６２０に至る切り込み６４０が設けられており、ケーブル７００は、かかる切り込み６４０を開きつつ内周面６２０に押し込まれる。或いはケーブル７００は、所定の冶具を用いて内周面６２０の径を広げつつ貫通させることも可能である。この場合は、切り込み６４０は設けずともよい。
【００１６】
このような構成によると、ケーブル通し口２０１のグロメット６００は、第１ケース部材２１０と第３ケース部材２３０とをねじ止めするとともに圧迫され、グロメット６００とケーブル７００との隙間は、複数のリップ部６２１がケーブル７００に圧接することによって確保される。リップ部６２１は、ケーブ７００に押し潰された状態となる。また、ケーブル７００の耐引き抜き力は、締め付け部６２２がケーブル７００の被覆層７２０に食い込むことによって確保される。ここで、締め付け部６２２がケーブル７００の被覆層７２０に食い込むことによって生じる被覆層７２０の肉逃げは、溝部６２３にて吸収されるため、これがケーブル７００とリップ部６２１との圧接状態に悪影響を及ぼす心配はない。
【００１７】
更に、グロメット６００と第１ケース部材２１０及び第３ケース部材２３０との隙間は、第２リップ部６３１がそれらのケース部材２１０，２３０に圧接することによって確保される。第２リップ部６３１は、各ケース部材２１０，２３０に押し潰された状態となる。一般に、ケース部材２１０，２３０同士の継目（図５中のＡの部位）においては、隙間の解消が困難とされるところ、本例によれば、図８に示すように、第２リップ部６３１が適宜変形して各ケース部材２１０，２３０の間の僅かな隙間に進入するので、隙間の解消が不完全となる心配はない。図８の（ａ）は第１ケース部材２１０と第３ケース部材２３０とをねじ止めする前の第２リップ部６３１の状態を示し、（ｂ）はそれらをねじ止めした後の第２リップ部６３１の状態を示している。
【００１８】
尚、図９に示すように、グロメット６００にはケーブル７００をそれぞれ挿通する複数の内周面６２０を設けることも可能である。各内周面６２０には、それぞれリップ部６２１、締め付け部６２２、及び溝部６２３が設けられる。同図に図例したグロメット６００は、３本のケーブル７００を貫通するものである。３本のケーブル７００のうちの１本は、制御手段５００に外部からの指令を送信するインターフェイスであり、他の２本は、制御手段５００に電源を供給する一対の電源配線である。
【００１９】
以上説明したように、本例のケーブル通し口の防水構造は、防水性、組み立て性、及びケーブルの耐引き抜き力を考慮して構成された極めた優れたものであり、モータケースの密閉性を確保するものとして、好適に利用することができる。勿論、かかる防水構造は、モータケースに限らずその他各種のケースに応用することも可能である。
【００２０】
【発明の効果】
本発明は、電子装置を収納するケースに設けられたケーブル通し口の防水構造において、前記ケースは、複数のケース部材を組み立ててなり、前記ケーブル通し口は、前記複数のケース部材の間にケーブルを貫通するグロメットを装着してなり、前記グロメットの内周面には、前記ケーブルとの隙間を密閉するリップ部と、前記ケーブルの被覆層に食い込んで前記ケーブルが移動するのを防止する締め付け部と、前記リップ部と前記締め付け部とを隔てる溝部とを設けた構成のケーブル通し口の防水構造である。このような構成によると、優れたケーブル通し口の防水構造を得ることができる。
【図面の簡単な説明】
【図１】本発明の具体例に係り、モータを示す断面図である。
【図２】本発明の具体例に係り、モータを示す分解断面図である。
【図３】本発明の具体例に係り、ケース部材のねじ止めを示す断面図である。
【図４】本発明の具体例に係り、ケーブルの通し口を示す側面断面図である。
【図５】本発明の具体例に係り、ケーブルの通し口を示す正面断面図である。
【図６】本発明の具体例に係り、グロメットを示す正面図である。
【図７】本発明の具体例に係り、グロメットを示す側面断面図である。
【図８】本発明の具体例に係り、ケーブル通し口の要部を示す正面断面図であり、（ａ）は第１ケース部材と第３ケース部材とをねじ止めする前の第２リップ部の状態を示し、（ｂ）はそれらをねじ止めした後の第２リップ部の状態を示している。
【図９】本発明の具体例に係り、グロメットを示す正面図である。
【符号の説明】
１００      モータ
２００      モータケース
２０１      ケーブル通し口
２１０      第１ケース部材
２１１      凹部
２２０      第２ケース部材
２３０      第３ケース部材
２３１      シール手段
２４０      第４ケース部材
２４１      放熱フィン
２５０      雄ねじ部品
３００      ロータ
３１０      軸部
３２０      ベアリング
４００      ステータ
４１０      コイル
５００      制御手段
６００      グロメット
６１０      フランジ
６２０      内周面
６２１      リップ部
６２２      締め付け部
６２３      溝部
６３０      外周面
６３１      第２リップ部
６４０      切り込み
７００      ケーブル
７１０      多芯電線
７２０      被覆層
【図１】
2004304984.tif 000003
【図２】
2004304984.tif 000004
【図３】
2004304984.tif 000005
【図４】
2004304984.tif 000006
【図５】
2004304984.tif 000007
【図６】
2004304984.tif 000008
【図７】
2004304984.tif 000009
【図８】
2004304984.tif 000010
【図９】
2004304984.tif 000011